(57)【要約】【課題】枚数違いの棒金の誤収納を抑制可能な現金管理装置を提供する。【解決手段】現金管理装置本体と、棒金を立位状態で収納可能であって下方に凹む上方開口形状の棒金収納凹部を備えて現金管理装置本体に引き出し可能に設けられた棒金収納庫を含む上下複数段の収納庫と、を有し、棒金収納凹部には、５０枚巻きの棒金を収納する５０枚巻き棒金収納凹部と、２０枚巻きの棒金を収納する２０枚巻き棒金収納凹部４１（ｂ）と、があり、２０枚巻き棒金収納凹部４１（ｂ）の底部４４の高さは、５０枚巻きの棒金Ｂ（ａ）が収納されると、当該２０枚巻き棒金収納凹部４１（ｂ）が設けられた棒金収納庫の現金管理装置本体への押し込み時に、当該２０枚巻き棒金収納凹部４１（ｂ）に収納された５０枚巻きの棒金Ｂ（ａ）を直ぐ上にある収納庫１２に干渉させる高さとなっている。【選択図】図１１
2017107380.tif 000002
【特許請求の範囲】
【請求項１】
現金管理装置本体と、
棒金を立位状態で収納可能であって下方に凹む上方開口形状の棒金収納凹部を備えて前記現金管理装置本体に引き出し可能に設けられた棒金収納庫を含む上下複数段の収納庫と、を有し、
前記棒金収納凹部には、
５０枚巻きの棒金を収納する５０枚巻き棒金収納凹部と、
２０枚巻きの棒金を収納する２０枚巻き棒金収納凹部と、があり、
前記２０枚巻き棒金収納凹部の底部の高さは、５０枚巻きの棒金が収納されると、当該２０枚巻き棒金収納凹部が設けられた棒金収納庫の前記現金管理装置本体への押し込み時に、当該２０枚巻き棒金収納凹部に収納された５０枚巻きの棒金を直ぐ上にある収納庫に干渉させる高さとなっていることを特徴とする現金管理装置。
【請求項２】
前記２０枚巻き棒金収納凹部の底部の高さは、複数金種のいずれの５０枚巻きの棒金が収納されても、当該２０枚巻き棒金収納凹部が設けられた棒金収納庫の前記現金管理装置本体への押し込み時に、当該２０枚巻き棒金収納凹部に収納された５０枚巻きの棒金を直ぐ上にある収納庫に干渉させる高さとなっていることを特徴とする請求項１記載の現金管理装置。
【請求項３】
前記２０枚巻き棒金収納凹部が複数金種分設けられており、
前記複数金種分の２０枚巻き棒金収納凹部のそれぞれの底部の高さは、複数金種のいずれの５０枚巻きの棒金が収納されても、当該２０枚巻き棒金収納凹部が設けられた棒金収納庫の前記現金管理装置本体への押し込み時に、当該２０枚巻き棒金収納凹部に収納された５０枚巻きの棒金を直ぐ上にある収納庫に干渉させる高さとなっていることを特徴とする請求項２記載の現金管理装置。
【発明の詳細な説明】
【技術分野】
【０００１】
本発明は、現金の管理に用いられる現金管理装置に関するものである。
【背景技術】
【０００２】
現金管理装置においては、現金管理装置本体と、棒金を立位状態で収納可能であって下方に凹む上方開口形状の棒金収納凹部を備えて現金管理装置本体に引き出し可能に設けられた収納庫と、を有するものがある。この種の現金管理装置において、棒金収納凹部の底部の高さを、予め設定された金種の棒金よりも長い他の金種の棒金が収納されると、当該棒金収納凹部が設けられた収納庫の押し込み時に該棒金を直ぐ上にある収納庫に干渉させる高さとしたものがある。これにより、一部の誤収納を簡易的に規制するようになっている（例えば、特許文献１参照）。
【先行技術文献】
【特許文献】
【０００３】
【特許文献１】特開２０１３−１３１２４１号公報
【発明の概要】
【発明が解決しようとする課題】
【０００４】
ところで、棒金は、所定枚数の同一金種の硬貨を集積状態で樹脂フィルムあるいは紙からなる包装シートで巻いて一体化したものであるが、５０枚の硬貨を一体化した硬貨５０枚巻きの棒金と、２０枚の硬貨を一体化した硬貨２０枚巻きの棒金とが存在する場合がある。しかしながら、このような枚数違いの棒金の誤収納については現状考慮されていない。
【０００５】
本発明は、枚数違いの棒金の誤収納を抑制可能な現金管理装置を提供する。
【課題を解決するための手段】
【０００６】
請求項１に係る発明は、現金管理装置本体と、棒金を立位状態で収納可能であって下方に凹む上方開口形状の棒金収納凹部を備えて前記現金管理装置本体に引き出し可能に設けられた棒金収納庫を含む上下複数段の収納庫と、を有し、前記棒金収納凹部には、５０枚巻きの棒金を収納する５０枚巻き棒金収納凹部と、２０枚巻きの棒金を収納する２０枚巻き棒金収納凹部と、があり、前記２０枚巻き棒金収納凹部の底部の高さは、５０枚巻きの棒金が収納されると、当該２０枚巻き棒金収納凹部が設けられた棒金収納庫の前記現金管理装置本体への押し込み時に、当該２０枚巻き棒金収納凹部に収納された５０枚巻きの棒金を直ぐ上にある収納庫に干渉させる高さとなっていることを特徴とする。
【０００７】
請求項２に係る発明は、請求項１に係る発明において、前記２０枚巻き棒金収納凹部の底部の高さは、複数金種のいずれの５０枚巻きの棒金が収納されても、当該２０枚巻き棒金収納凹部が設けられた棒金収納庫の前記現金管理装置本体への押し込み時に、当該２０枚巻き棒金収納凹部に収納された５０枚巻きの棒金を直ぐ上にある収納庫に干渉させる高さとなっていることを特徴とする。
【０００８】
請求項３に係る発明は、請求項２に係る発明において、前記２０枚巻き棒金収納凹部が複数金種分設けられており、当該複数金種分の２０枚巻き棒金収納凹部のそれぞれの底部の高さは、複数金種のいずれの５０枚巻きの棒金が収納されても、当該２０枚巻き棒金収納凹部が設けられた棒金収納庫の前記現金管理装置本体への押し込み時に、当該２０枚巻き棒金収納凹部に収納された５０枚巻きの棒金を直ぐ上にある収納庫に干渉させる高さとなっていることを特徴とする。
【発明の効果】
【０００９】
請求項１に係る発明によれば、２０枚巻き棒金収納凹部の底部の高さが、５０枚巻きの棒金が収納されると、当該２０枚巻き棒金収納凹部が設けられた棒金収納庫の現金管理装置本体への押し込み時に、当該２０枚巻き棒金収納凹部に収納された５０枚巻きの棒金を直ぐ上にある収納庫に干渉させる高さとなっているため、２０枚巻き棒金収納凹部へ５０枚巻きの棒金が誤収納された場合に、棒金収納庫の現金管理装置本体への押し込みが困難となる。したがって、枚数違いの棒金の誤収納を抑制可能となる。
【００１０】
請求項２に係る発明によれば、２０枚巻き棒金収納凹部の底部の高さは、複数金種のいずれの５０枚巻きの棒金が収納されても、当該２０枚巻き棒金収納凹部が設けられた棒金収納庫の現金管理装置本体への押し込み時に、当該２０枚巻き棒金収納凹部に収納された５０枚巻きの棒金を直ぐ上にある収納庫に干渉させる高さとなっているため、２０枚巻き棒金収納凹部へ、複数金種のいずれの５０枚巻きの棒金が誤収納された場合でも、棒金収納庫の現金管理装置本体への押し込みが困難となる。したがって、枚数違いの棒金の誤収納を抑制可能となる。
【００１１】
請求項３に係る発明によれば、複数金種分設けられた２０枚巻き棒金収納凹部のそれぞれの底部の高さは、複数金種のいずれの５０枚巻きの棒金が収納されても、当該２０枚巻き棒金収納凹部が設けられた棒金収納庫の現金管理装置本体への押し込み時に、当該２０枚巻き棒金収納凹部に収納された５０枚巻きの棒金を直ぐ上にある収納庫に干渉させる高さとなっているため、複数金種のいずれの２０枚巻き棒金収納凹部へ、複数金種のいずれの５０枚巻きの棒金が誤収納された場合でも、棒金収納庫の現金管理装置本体への押し込みが困難となる。したがって、枚数違いの棒金の誤収納を抑制可能となる。
【図面の簡単な説明】
【００１２】
【図１】本発明の実施形態における現金管理装置を示す斜視図である。
【図２】本発明の実施形態における現金管理装置を示す要部の制御系ブロック図である。
【図３】本発明の実施形態における現金管理装置の棒金収納庫を示す斜視図である。
【図４】本発明の実施形態における現金管理装置の５０枚巻き棒金の満杯収納用の棒金トレイを示す斜視図である。
【図５】本発明の実施形態における現金管理装置の５０枚巻き棒金の満杯収納用の棒金トレイを示す平面図である。
【図６】本発明の実施形態における現金管理装置の５０枚巻き棒金の満杯収納用の棒金トレイの断面図である。
【図７】本発明の実施形態における現金管理装置の５０枚巻き棒金の満杯収納用の棒金トレイのうち有孔硬貨用の棒金トレイを示す斜視図である。
【図８】本発明の実施形態における現金管理装置の５０枚巻き棒金の棒金トレイのうち有孔硬貨用の棒金トレイを示す断面図である。
【図９】本発明の実施形態における現金管理装置の２０枚巻き棒金の満杯収納用の棒金トレイを示す斜視図である。
【図１０】本発明の実施形態における現金管理装置の２０枚巻き棒金の棒金トレイを示す断面図である。
【図１１】本発明の実施形態における現金管理装置の２０枚巻き棒金の棒金トレイに５０枚巻き棒金を誤収納した状態を示す断面図である。
【図１２】本発明の実施形態における現金管理装置の５０枚巻き棒金の端数収納用の棒金トレイを示す斜視図である。
【図１３】本発明の実施形態に係る現金管理装置の５０枚巻き棒金の端数収納用の棒金トレイを示す平面図である。
【図１４】本発明の実施形態に係る現金管理装置の２０枚巻きの棒金の端数収納用の棒金トレイを示す平面図である。
【図１５】本発明の実施形態における棒金検出方法のフローチャートである。
【図１６】本発明の実施形態における、載置対象金種よりも小径な棒金が収納された状態の棒金トレイを示す図６に相当する断面図である。
【図１７】本発明の実施形態における、有孔硬貨用に無孔硬貨の棒金が収納された状態の棒金トレイを示す図８に相当する断面図である。
【発明を実施するための形態】
【００１３】
本発明の実施形態における現金管理装置を図面に基づいて説明する。この実施形態における現金管理装置は、金融機関の店舗の係員側スペースに設置されて係員により取り扱われる。この現金管理装置は、より窓口カウンタに近い位置で使用され、主に小束紙幣および棒金を入出庫可能に収納する。
【００１４】
図１は、本発明の実施形態における現金管理装置を示す斜視図である。
図１に示すように、現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は現金管理装置本体１１に連結されている。
【００１５】
複数段の収納庫１２のうち、最も上側の収納庫１２は、予備収納庫１２（Ａ）となっている。予備収納庫１２（Ａ）は、結束されていないバラ紙幣、包装されていないバラ硬貨、汚損紙幣や汚損硬貨、金券等を収納する。残りの収納庫１２うち上側４段は、小束紙幣を収納する小束収納庫１２（Ｂ）となっている。さらに、残りの収納庫１２のうち下側３段は、棒金を収納する棒金収納庫１２（Ｃ）となっている。ここで、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも可能である。
【００１６】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００１７】
図２は、本発明の実施形態における現金管理装置を示す要部の制御系ブロック図である。
図１，図２に示すように、現金管理装置本体１１には、複数の収納庫１２のそれぞれに対して、収納庫１２を閉状態で個別にロックするロック機構２２が設けられており、複数の収納庫１２のそれぞれの側方に、ロック機構２２のロック解除時のみ点灯する表示灯２３が設けられている。現金管理装置本体１１には、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００１８】
図３は、本発明の実施形態における現金管理装置の棒金収納庫を示す斜視図である。
図３に示すように、収納庫１２は、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、上述した小束収納庫１２（Ｂ）と棒金収納庫１２（Ｃ）とで共通となっている。枠体３４は、一対の側板部３２がスライドレール１３の一側に連結されており、スライドレール１３の他側が現金管理装置本体１１に連結されていて、これにより現金管理装置本体１１に対して引き出し可能となっている。
【００１９】
棒金収納庫１２（Ｃ）は、棒金Ｂを入出庫可能に収納する。棒金収納庫１２（Ｃ）は、棒金Ｂを収納可能であって上記した枠体３４に取り付けられて固定される複数の合成樹脂製の棒金トレイ３８を有している。最前列には、棒金トレイ３８のうち、端数収納用の棒金トレイ３８（Ｅａ），３８（Ｅｂ）が設けられている。また、２列目以降には、棒金トレイ３８のうち、満杯収納用の棒金トレイ３８（Ｆａ），３８（Ｆｂ）が設けられている。
【００２０】
ここで、棒金トレイ３８は、それぞれ予め設定された単一の収納対象金種の棒金Ｂのみが収納されるように決められている。棒金トレイ３８のうち、左右方向における同列に配置されて前後に１列に並ぶものは、全て収納対象金種が同一金種となっている。
【００２１】
例えば、図１に示す３段の棒金収納庫１２（Ｃ）のうちの最も上段の棒金収納庫１２（Ｃ）は、最も左側および左から２番目の２列の棒金トレイ３８が、棒金Ｂのうちの５０枚巻きの１円棒金Ｂ（ａ）を収納する棒金トレイ３８（Ｅａ），３８（Ｆａ）となっており、最も右側および右から２番目の２列の棒金トレイ３８が、棒金Ｂのうちの５０枚巻きの５円棒金Ｂ（ａ）を収納する棒金トレイ３８（Ｅａ），３８（Ｆａ）となっている。
【００２２】
さらに、３段の棒金収納庫１２（Ｃ）のうちの上から２段目の棒金収納庫１２（Ｃ）は、最も左側および左から２番目の２列の棒金トレイ３８が、棒金Ｂのうちの５０枚巻きの１０円棒金Ｂ（ａ）を収納する棒金トレイ３８（Ｅａ），３８（Ｆａ）となっており、最も右側および右から２番目の２列の棒金トレイ３８が、棒金Ｂのうちの５０枚巻きの５０円棒金Ｂ（ａ）を収納する棒金トレイ３８（Ｅａ），３８（Ｆａ）となっている。
【００２３】
さらに、３段の棒金収納庫１２（Ｃ）のうちの最下段の棒金収納庫１２（Ｃ）は、最も左側および左から２番目の２列の棒金トレイ３８が、棒金Ｂのうちの５０枚巻きの１００円棒金Ｂ（ａ）を収納する棒金トレイ３８（Ｅａ），３８（Ｆａ）となっている。加えて、この最下段の棒金収納庫１２（Ｃ）は、図３に示すように、右から２番目の１列の棒金トレイ３８が、棒金Ｂのうちの５０枚巻きの５００円棒金Ｂ（ａ）を収納する棒金トレイ３８（Ｅａ），３８（Ｆａ）となっており、最も右側の１列の棒金トレイ３８が、棒金Ｂのうちの２０枚巻きの５００円棒金Ｂ（ｂ）を収納する棒金トレイ３８（Ｅｂ），３８（Ｆｂ）となっている。図３は、最下段の棒金収納庫１２（Ｃ）を示している。
【００２４】
各棒金収納庫１２（Ｃ）への収納金種は任意に設定可能であり、頻繁に出庫が行われる金種（１円棒金、１０円棒金および１００円棒金）を１つの棒金収納庫１２（Ｃ）に纏めて収納するようにしても良い。また、左右方向における同列に配置されて前後に１列に並ぶ複数の棒金トレイ３８は、必ずしも全て収納対象金種が同一金種となっていなくても良い。同じ段の棒金収納庫１２（Ｃ）に設けられるすべての棒金トレイ３８は、水平に広がる基板部４０の高さを揃えて枠体３４に取り付けられている。
【００２５】
棒金Ｂは、単一金種の硬貨を所定枚数（５０枚または２０枚）だけ中心軸線を一致させて集積してなる集積硬貨を、その外周面全体に樹脂フィルムあるいは紙からなる包装シートを所定長さ巻き付けて一体化したものであり、略円柱状をなしている。この棒金Ｂの包装シートは、集積硬貨の上下両端部において巻き代を有しており、この巻き代が、それぞれ加締め爪（図示せず）によって内側に丸められて、上下両端部に配置される硬貨よりも突出するリング状の加締部Ｋ（図６参照）を形成する。棒金トレイ３８には、棒金Ｂが中心軸線を上下方向に沿わせた立位状態で収納される。ここで、５０枚の硬貨を包装シートで一体化したものが５０枚巻きの棒金であり、２０枚の硬貨を包装シートで一体化したものが２０枚巻きの棒金である。
【００２６】
図４は、本発明の実施形態における現金管理装置の５０枚巻きの棒金の満杯収納用の棒金トレイを示す斜視図である。図５は、本発明の実施形態における現金管理装置の５０枚巻きの棒金の満杯収納用の棒金トレイを示す平面図である。図６は、本発明の実施形態における現金管理装置の５０枚巻きの棒金の満杯収納用の棒金トレイの断面図である。図４〜図６に示す棒金トレイ３８（Ｆａ）は、５０枚巻きの棒金Ｂ（ａ）であって無孔硬貨の棒金Ｂ（ａ）を収納するものである。無孔硬貨の棒金Ｂ（ａ）は、５０枚の１円硬貨を一体化した１円棒金、５０枚の１０円硬貨を一体化した１０円棒金、５０枚の１００円硬貨を一体化した１００円棒金、５０枚の５００円硬貨を一体化した５００円棒金であり、図４〜図６に示す棒金トレイ３８（Ｆａ）は、５００円棒金用となっている。
【００２７】
図４に示すように、満杯収納用の棒金トレイ３８（Ｆａ）は、長方形の平板状をなして水平に配置される基板部４０と、基板部４０の水平方向における内側部分に設けられて下方に凹む上方開口形状をなす２カ所の同形状の棒金収納凹部４１とを有している。棒金トレイ３８（Ｆａ）は、図６に示すように、５０枚巻きの棒金Ｂ（ａ）を収納するものであるため、これに設けられた棒金収納凹部４１も、５０枚巻きの棒金Ｂ（ａ）を専用収納する５０枚巻き棒金収納凹部４１（ａ）となっている。棒金トレイ３８（Ｆａ）は、これらの５０枚巻き棒金収納凹部４１（ａ）にその上端開口部を介して上方から５０枚巻きの棒金Ｂ（ａ）が挿入される。これら５０枚巻き棒金収納凹部４１（ａ）は、挿入された５０枚巻きの棒金Ｂ（ａ）を上方に一部突出させて収納する。図４に示すように、１つの棒金トレイ３８（Ｆａ）には、同形状の５０枚巻き棒金収納凹部４１（ａ）が２カ所設けられており、これら一対の５０枚巻き棒金収納凹部４１（ａ）が基板部４０の中間部に前後に隣接して形成されている。
【００２８】
棒金トレイ３８（Ｆａ）の前側の５０枚巻き棒金収納凹部４１（ａ）は、鉛直方向に沿う壁部４３と、壁部４３の下部を閉塞する全体として水平方向に沿う底部４４とを有している。壁部４３は、基板部４０よりも下方向に延出しており、これにより底部４４は基板部４０よりも下方に位置している。
【００２９】
図５に示すように、前側（図５では下側）の５０枚巻き棒金収納凹部４１（ａ）の壁部４３は、左側に、円筒を一部切り取った形状の２カ所の湾曲壁面４２ａが前側のものが後側のものよりも左側に位置するように連設されており、右側に、円筒を一部切り取った形状の２カ所の湾曲壁面４２ａが前側のものが後側のものよりも右側に位置するように連設されている。これら湾曲壁面４２ａのうち、前側の左右の湾曲壁面４２ａは前後方向の位置を合わせており、後側の左右の湾曲壁面４２ａも前後方向の位置を合わせている。これにより、前側の５０枚巻き棒金収納凹部４１（ａ）は、前側の左右２カ所の湾曲壁面４２ａが対向し、これらの間隔が、後側で対向する左右２カ所の湾曲壁面４２ａ同士の間隔よりも広くなっている。
【００３０】
前側の５０枚巻き棒金収納凹部４１（ａ）の壁部４３は、前側の左右の湾曲壁面４２ａを結ぶ平坦壁面４２ｂと、後側の左右の湾曲壁面４２ａを結ぶ、平坦壁面４２ｂよりも長さが短い平坦壁面４２ｃとを有している。
【００３１】
前側の５０枚巻き棒金収納凹部４１（ａ）に設けられた湾曲壁面４２ａは、いずれも湾曲の中心をそれぞれが設けられた５０枚巻き棒金収納凹部４１（ａ）の内側に配置している。前側の５０枚巻き棒金収納凹部４１（ａ）の平坦壁面４２ｂおよび平坦壁面４２ｃは平行をなしている。
【００３２】
棒金トレイ３８（Ｆａ）の後側の５０枚巻き棒金収納凹部４１（ａ）も、前側の５０枚巻き棒金収納凹部４１（ａ）と同様の形状をなしており、前側の５０枚巻き棒金収納凹部４１（ａ）と左右方向の位置を合わせて、前側の５０枚巻き棒金収納凹部４１（ａ）の後側に平行に配置されている。
【００３３】
同じ１つの棒金トレイ３８に形成された２カ所の５０枚巻き棒金収納凹部４１（ａ）は、予め設定された単一の収納対象金種の棒金Ｂ（ａ）のみが収納されることになり、湾曲壁面４２ａの径は、収納対象金種の棒金Ｂ（ａ）の外径よりも僅かに大径となっている。
【００３４】
１つの棒金トレイ３８（Ｆａ）の前後の５０枚巻き棒金収納凹部４１（ａ）は、それぞれ、互いに対向する間隔が広い前側の湾曲壁面４２ａの間に、これらを結ぶ方向に並んで３カ所の１本収納領域４７が１列状に設けられており、これにより間隔が広い前側の湾曲壁面４２ａの間は、棒金Ｂ（ａ）を同時に３本並べて収納可能な３本収納領域５１となっている。
【００３５】
また、互いに対向する間隔が狭い後側の湾曲壁面４２ａの間には、これらを結ぶ方向に並んで２カ所の１本収納領域４７が設けられており、これにより間隔が狭い後側の湾曲壁面４２ａの間は、棒金Ｂ（ａ）を同時に２本並べて収納可能な２本収納領域５２となっている。
【００３６】
前後の５０枚巻き棒金収納凹部４１（ａ）は、それぞれ、棒金Ｂ（ａ）を満杯状態で５本収納する。つまり、１つの棒金トレイ３８（Ｆａ）には、棒金Ｂ（ａ）を立位状態で１カ所に５本収納可能であって下方に凹む上方開口形状の５０枚巻き棒金収納凹部４１（ａ）が２カ所設けられており、これら２カ所の５０枚巻き棒金収納凹部４１（ａ）に、棒金Ｂ（ａ）が立位状態で所定の複数本である１０本収納可能となっている。
【００３７】
１つの棒金トレイ３８（Ｆａ）の前後２カ所の５０枚巻き棒金収納凹部４１（ａ）は、いずれも棒金収納庫１２（Ｃ）の引き出しの方向の奥側に２本収納領域５２が、手前側に３本収納領域５１が配置されている。その結果、１つの棒金トレイ３８（Ｆａ）の前後２カ所の５０枚巻き棒金収納凹部４１（ａ）は、３本収納領域５１と２本収納領域５２との並び順を互いに合わせて並列に配列されている。棒金収納庫１２（Ｃ）に設けられるすべての棒金トレイ３８（Ｆａ）は、それぞれの１カ所の５０枚巻き棒金収納凹部４１（ａ）において、引き出しの方向の奥側に２本収納領域５２が、手前側に３本収納領域５１が配置されており、それぞれの２カ所の５０枚巻き棒金収納凹部４１（ａ）において、２本収納領域５２と３本収納領域５１との並び順を互いに合わせて並列に配列されている。
【００３８】
３本収納領域５１と２本収納領域５２とは互いに平行をなして隣接しており、それぞれの棒金配列方向の中央位置を合わせている。その結果、３本収納領域５１と２本収納領域５２とは、両方の中央位置を通り基板部４０に直交する面を基準に鏡面対称の形状をなしている。３本収納領域５１と２本収納領域５２とを有する５０枚巻き棒金収納凹部４１（ａ）は、棒金Ｂ（ａ）をＭ字状に収納する。５０枚巻き棒金収納凹部４１（ａ）は、３本収納領域５１の棒金配列方向の両外側に３本収納領域５１内に中心を有する湾曲壁面４２ａを有しており、２本収納領域５２の棒金配列方向の両外側に２本収納領域５２内に中心を有する湾曲壁面４２ａを有していて、３本収納領域５１および２本収納領域５２の配列方向の両外側に平坦壁面４２ｂ，４２ｃを有している。
【００３９】
３本収納領域５１に収納された棒金Ｂ（ａ）に対して、２本収納領域５２に収納された棒金Ｂ（ａ）は棒金Ｂの半径分左右方向にずれている。棒金Ｂ（ａ）は、５０枚巻き棒金収納凹部４１（ａ）に、その上部開口を介して上方から挿入されることになり、５０枚巻き棒金収納凹部４１（ａ）に満杯に収納された状態では、５０枚巻き棒金収納凹部４１（ａ）の壁部４３および他の棒金Ｂ（ａ）で支持されて中心軸線を鉛直配置した鉛直立位状態に維持される。
【００４０】
１つの棒金トレイ３８（Ｆａ）の２カ所の３本収納領域５１および２カ所の２本収納領域５２は、前後方向つまり収納庫１２の引き出し方向に直交する方向に延在している。言い換えれば、１つの棒金トレイ３８（Ｆａ）の２カ所の３本収納領域５１および２カ所の２本収納領域５２は、それぞれの棒金配列方向を、前後方向つまり収納庫１２の引き出し方向に直交させている。棒金収納庫１２（Ｃ）に設けられるすべての棒金トレイ３８（Ｆａ）の３本収納領域５１および２本収納領域５２は、前後方向つまり収納庫１２の引き出し方向に直交する方向に延在している。
【００４１】
底部４４の各棒金Ｂ（ａ）の収納位置、つまり各１本収納領域４７の底位置には、棒金Ｂ（ａ）の下端加締部Ｋに係合しつつ棒金Ｂ（ａ）を載置させる座部である係合部６１が設けられている。係合部６１は、平面視円形の短柱状をなしており、棒金Ｂ（ａ）の硬貨部分から軸方向外側に突出する包装シートの円形状の加締部Ｋの内側に嵌合して、硬貨部分を載置させる。係合部６１は、全ての１本収納領域４７のそれぞれ底位置中央に設けられている。係合部６１は、各湾曲壁面４２ａの各内側位置に湾曲壁面４２ａと同じ４カ所形成され、さらに、３本収納領域５１を形成する湾曲壁面４２ａ間の中央の１カ所に形成されている。つまり、５０枚巻き棒金収納凹部４１（ａ）の底部４４には、３本収納領域５１の底部を構成する部分に３カ所、２本収納領域５２の底部を構成する部分に２カ所、係合部６１がそれぞれ設けられている。係合部６１は、これが配置された１本収納領域４７に挿入された棒金Ｂ（ａ）の下端の加締部Ｋの内側に外周面６１ａで嵌合して、図６に示すように棒金Ｂ（ａ）の硬貨部分に上面６５で当接する。
【００４２】
図５に示すように、棒金トレイ３８（Ｆａ）の前後２カ所の５０枚巻き棒金収納凹部４１（ａ）の底部４４には、棒金Ｂ（ａ）の下端の加締部Ｋを収容可能な加締収容部５３が設けられている。２本収納領域５２の加締収容部５３は、左側の係合部６１の外周面６１ａとこの外周面６１ａに対向する左側の湾曲壁面４２ａとの間、および、右側の係合部６１の外周面６１ａとこの外周面６１ａに対向する右側の湾曲壁面４２ａとの間に形成されている。３本収納領域５１の加締収容部５３は、左側の係合部６１の外周面６１ａとこの外周面６１ａに対向する左側の湾曲壁面４２ａとの間、右側の係合部６１の外周面６１ａとこの外周面６１ａに対向する右側の湾曲壁面４２ａとの間、および、左右の湾曲壁面４２ａ間の中央の係合部６１の外周面６１ａとこの外周面６１ａに対向する平坦壁面４２ｂとの間に形成されている。これら加締収容部５３は、棒金Ｂ（ａ）の加締部Ｋの径方向の厚さよりも僅かに大きい間隙を形成し、さらに棒金Ｂ（ａ）の軸方向における加締部Ｋの高さよりも深く形成されている。言い換えれば、係合部６１の高さは、棒金Ｂ（ａ）の加締部Ｋの高さよりも大きくなるように形成されている。
【００４３】
図６に示すように、棒金トレイ３８（Ｆａ）の係合部６１には、棒金トレイ３８（Ｆａ）の底面６３から係合部６１の内部に至るように凹み棒金検出センサ６２が収容される凹部６４が形成されている。凹部６４は、例えば、係合部６１の１本収納領域４７すなわち係合部６１と中心が一致する係合部６１よりも小径な短柱状に形成されている。凹部６４は、係合部６１の上面６５と平行な底面６６と、係合部６１の外周面６１ａと同軸状の内周面６７とを備えている。上面６５と底面６６との距離、および、外周面６１ａと内周面６７との距離は、それぞれ同等とされている。言い換えれば、係合部６１は、略一定な厚さの壁により形成されている。
【００４４】
さらに、凹部６４には、底面６６の略中央に、小凹部６８が形成されている。この小凹部６８には、下方から凹部６４の内部に収容される棒金検出センサ６２の上端部６２ａが挿入される。小凹部６８は、凹部６４よりも小径で棒金検出センサ６２よりも大径な短柱状に形成されている。
図６においては、棒金トレイ３８（Ｆａ）に対して、載置対象金種の棒金Ｂ（ａ）が正しい姿勢で１本収納されている状態を示している。
【００４５】
ここで、上述したように、各棒金トレイ３８（Ｆａ）の５０枚巻き棒金収納凹部４１（ａ）は、それぞれ予め設定された単一金種の棒金Ｂ（ａ）のみが収納されるように決められている。各棒金トレイ３８（Ｆａ）の５０枚巻き棒金収納凹部４１（ａ）の湾曲壁面４２ａの径は、収納対象金種の棒金Ｂ（ａ）の外径よりも若干大径となっている。また、係合部６１の外径つまり外周面６１ａの径は、収納対象金種の棒金Ｂ（ａ）の加締部Ｋの内径よりも若干小さくされており、係合部６１の突出高さは収納対象金種の棒金Ｂ（ａ）の加締部Ｋの硬貨からの突出高さよりも若干高くなっている。加えて、底部４４の係合部６１の高さ位置は、いずれの棒金トレイ３８（Ｆａ）においても収納対象金種の棒金Ｂ（ａ）を載置した場合にその上端部の棒金収納庫１２（Ｃ）での高さ位置が一定するように設定されている。つまり、長さが短い棒金Ｂ（ａ）を収納する棒金トレイ３８（Ｆａ）は、これが配置された棒金収納庫１２（Ｃ）での係合部６１の高さ位置が高く、長さが長い棒金Ｂ（ａ）を収納する棒金トレイ３８（Ｆａ）は、これが配置された棒金収納庫１２（Ｃ）での係合部６１の高さ位置が低くなっている。ただし、各５０枚巻き棒金収納凹部４１（ａ）の係合部６１までの深さは、収納した棒金Ｂ（ａ）を取り出し容易とすべく上方に突出させるように設定されている。
【００４６】
これにより、棒金トレイ３８（Ｆａ）の５０枚巻き棒金収納凹部４１（ａ）には、設定金種以外の径の大きい金種の棒金Ｂ（ａ）と、設定金種以外の高さの高い金種の棒金Ｂ（ａ）とは、適正な収納が困難となり、これにより、一部の誤収納を簡易的に規制するようになっている。つまり、設定金種の棒金Ｂ（ａ）よりも径の大きい棒金Ｂ（ａ）は、湾曲壁面４２ａあるいは他の棒金Ｂ（ａ）に干渉して、収納が困難となる。例えば、設定金種が１円棒金である５０枚巻き棒金収納凹部４１（ａ）への５００円棒金の誤収納は収納そのものが困難になる。また、設定金種の棒金Ｂ（ａ）よりも高さの高い棒金Ｂ（ａ）は、底部４４に載置された状態で、直ぐ上にある収納庫１２の前板部３１に干渉して、この棒金Ｂ（ａ）が収納された棒金収納庫１２（Ｃ）の現金管理装置本体１１への押し込みを阻害する。例えば、設定金種が１０円棒金である５０枚巻き棒金収納凹部４１（ａ）への、１０円棒金よりも１０ｍｍ程度長い１００円棒金の誤収納は、棒金収納庫１２（Ｃ）の現金管理装置本体１１への押し込み時に、１００円棒金が直ぐ上にある収納庫１２の前板部３１に干渉して押し込みを阻害する。図６に示すように、棒金トレイ３８（Ｆａ）に対して、載置対象金種の棒金Ｂ（ａ）が正しい姿勢で収納されると、この棒金Ｂ（ａ）は、全体が、直ぐ上にある収納庫１２より下側にあってこの収納庫１２に干渉することはない。
【００４７】
棒金検出センサ６２は、１本収納領域４７において棒金Ｂ（ａ）の収納状態を検出する。図４から図６に示すように、棒金検出センサ６２は、すべての係合部６１に個別に設けられている。棒金検出センサ６２は、棒金トレイ３８の下方に基板部４０と平行に配置されるセンサ基板６９から上方に向かって突出するように取り付けられている。棒金検出センサ６２は、センサ基板６９上において複数の係合部６１の下方の位置にそれぞれ配置されている。棒金検出センサ６２は、例えば、棒金Ｂ（ａ）の下端に配置される硬貨との距離に応じて変化する信号を出力する磁気センサ等である。棒金検出センサ６２が磁気センサの場合、棒金検出センサ６２から出力される信号は、所定の検出可能距離の範囲内で棒金Ｂ（ａ）の下端に配置される硬貨との距離に対してリニアに変化する。そのため、この信号に基づき棒金Ｂ（ａ）と棒金検出センサ６２との距離を検出できる。しかし、棒金Ｂ（ａ）と棒金検出センサ６２との距離が検出可能距離を超えた場合、棒金検出センサ６２から出力される信号は、棒金Ｂ（ａ）と棒金検出センサ６２との距離に対してリニアに変化しない。そのため、この信号に基づく棒金Ｂ（ａ）の検出は不能となる。
【００４８】
図７は、本発明の実施形態における現金管理装置の５０枚巻きの棒金の満杯収納用の棒金トレイのうち有孔硬貨用の棒金トレイを示す斜視図である。図８は、本発明の実施形態における現金管理装置の５０枚巻きの棒金の満杯収納用の棒金トレイのうち有孔硬貨用の棒金トレイを示す断面図である。図７，図８に示す棒金トレイ３８（Ｆａ）は、５０枚巻きの棒金Ｂ（ａ）であって有孔硬貨の棒金Ｂ（ａ）を収納するものである。有孔硬貨の棒金Ｂ（ａ）は、５０枚の５円硬貨を一体化した５円棒金、５０枚の５０円硬貨を一体化した５０円棒金であり、図７，図８に示す棒金トレイ３８（Ｆａ）は、５円棒金用となっている。
【００４９】
有孔硬貨の棒金Ｂ（ａ）を収納する棒金トレイ３８（Ｆａ）は、上述した無孔硬貨用の棒金トレイ３８（Ｆａ）に対して、複数設けられた係合部６１の円形に形成された上面の中央に有孔硬貨の孔に挿入される凸部Ｔが形成されている点が相違している。
【００５０】
凸部Ｔは、先端部が球面状に形成された円柱状に形成されている。この凸部Ｔの直径は、棒金トレイ３８（Ｆａ）に収納される載置対象金種の硬貨が有する孔に挿入可能な大きさ、より具体的には、載置対象金種の硬貨が有する孔よりも僅かに小径に形成されている。この凸部Ｔの高さは、上述した棒金Ｂ（ａ）の加締部Ｋの高さと同等となっている。これにより、例えば、有孔硬貨用の棒金トレイ３８（Ｆａ）に対して、載置対象金種の有孔硬貨の外径に近い外径を有する無孔硬貨の棒金Ｂ（ａ）が収納されようとした場合、無孔硬貨の棒金Ｂ（ａ）の下端の硬貨が有孔硬貨の棒金Ｂ（ａ）の凸部Ｔの高さ分だけ係合部６１の上面から上方に離間した状態となり、この距離が、棒金検出センサ６２により検出される。図８においては、棒金トレイ３８（Ｆａ）に対して、１本の載置対象金種の有孔硬貨の棒金Ｂ（ａ）が正しい姿勢で収納されている状態を示している。
【００５１】
図９は、本発明の実施形態における現金管理装置の２０枚巻きの棒金の満杯収納用の棒金トレイを示す斜視図である。図１０は、本発明の実施形態における現金管理装置の２０枚巻きの棒金の満杯収納用の棒金トレイを示す断面図である。図１１は、本発明の実施形態における現金管理装置の２０枚巻きの棒金の満杯収納用の棒金トレイに５０枚巻きの棒金を収納した状態を示す断面図である。２０枚巻きの棒金Ｂ（ｂ）は、５０枚巻きの棒金Ｂ（ａ）に対して、硬貨の集積枚数が２０枚と異なり、その分長さが短くなっている点が相違している。よって、２０枚巻きの棒金Ｂ（ｂ）にも、５０枚巻きの棒金Ｂ（ａ）と同様、上下両端部に配置される硬貨よりも突出するリング状の加締部Ｋが形成されている。２０枚巻きの棒金Ｂ（ｂ）は、外径が同一金種の５０枚巻きの棒金Ｂ（ａ）と同等になっている。
【００５２】
図９，図１０に示すように、２０枚巻きの棒金の満杯収納用の棒金トレイ３８（Ｆｂ）は、５０枚巻きの棒金の満杯収納用の棒金トレイ３８（Ｆａ）に対して、棒金収納凹部４１として、２０枚巻きの棒金Ｂ（ｂ）を専用収納する２０枚巻き棒金収納凹部４１（ｂ）を有する点が相違している。２０枚巻き棒金収納凹部４１（ｂ）は、５０枚巻き棒金収納凹部４１（ａ）に対して、壁部４３の高さ方向の長さが短く、基板部４０から底部４４までの高さ方向の距離が短くなっている点が相違している。つまり、２０枚巻き棒金収納凹部４１（ｂ）も、棒金Ｂ（ｂ）を立位状態で収納可能であって下方に凹む上方開口形状をなしている。２０枚巻き棒金収納凹部４１（ｂ）の係合部６１の上面６５までの深さは、収納した棒金Ｂ（ｂ）を取り出し容易とすべく上方に突出させるように設定されている。最下段の一つの棒金収納庫１２（Ｃ）には、図３に示すように、５０枚巻きの棒金Ｂ（ａ）用の棒金トレイ３８（Ｆａ）と、２０枚巻きの棒金Ｂ（ｂ）用の棒金トレイ３８（Ｆｂ）とが設けられており、よって、最下段の一つの棒金収納庫１２（Ｃ）は、棒金収納凹部４１として、５０枚巻き棒金収納凹部４１（ａ）と２０枚巻き棒金収納凹部４１（ｂ）とを有している。最下段の一つの棒金収納庫１２（Ｃ）は、２０枚巻き棒金収納凹部４１（ｂ）に関しては、一金種（具体的には５００円）分の２０枚巻き棒金収納凹部４１（ｂ）が、５０枚巻き棒金収納凹部４１（ａ）に関しては、複数金種（具体的には１００円、５００円の２金種）分の５０枚巻き棒金収納凹部４１（ａ）が、それぞれ設けられている。
【００５３】
ここで、２０枚巻き棒金収納凹部４１（ｂ）の底部４４の係合部６１の上面６５の高さは、図１０に示すように、収納対象の２０枚巻き棒金Ｂ（ｂ）が収納されると、この２０枚巻き棒金収納凹部４１（ｂ）が設けられた棒金収納庫１２（Ｃ）の押し込み時に、この２０枚巻き棒金収納凹部４１（ｂ）に収納された収納対象の２０枚巻き棒金Ｂ（ｂ）を直ぐ上にある収納庫１２に干渉させることはなく、他方で、同金種であるか異金種であるかにかかわらず、いずれの金種であっても、図１１に示すように、５０枚巻きの棒金Ｂ（ａ）が収納されると、この２０枚巻き棒金収納凹部４１（ｂ）が設けられた棒金収納庫１２（Ｃ）の押し込み時に、この２０枚巻き棒金収納凹部４１（ｂ）に収納された５０枚巻きの棒金Ｂ（ａ）を直ぐ上にある収納庫１２に干渉させる高さとなっている。
【００５４】
言い換えれば、２０枚巻き棒金収納凹部４１（ｂ）は、収納対象の２０枚巻きの棒金Ｂ（ｂ）よりも長さの長い複数の全ての金種（１円、５円、１０円、５０円、１００円、５００円）の５０枚巻きの棒金Ｂ（ａ）のいずれが収納されても、この５０枚巻きの棒金Ｂ（ａ）を、直ぐ上にある収納庫１２の前板部３１に干渉させることになり、これにより、この５０枚巻きの棒金Ｂ（ａ）が、これが収納された棒金収納庫１２（Ｃ）の現金管理装置本体１１への押し込みを阻害する。
【００５５】
例えば、５００円硬貨の２０枚巻き棒金Ｂ（ｂ）を収納対象とする２０枚巻き棒金収納凹部４１（ｂ）へ５００円硬貨の５０枚巻き棒金Ｂ（ａ）を誤収納した場合、図１０、図１１に示すように、５００円硬貨の２０枚巻き棒金Ｂ（ｂ）を収納した場合と同様に、係合部６１の外周面６１ａが加締部Ｋの内側に嵌合し、上面６５が硬貨部分に当接するものの、基板部４０からの高さが５００円硬貨の５０枚巻き棒金Ｂ（ａ）の方が、５００円硬貨の２０枚巻き棒金Ｂ（ｂ）を収納した場合よりも高くなる。これにより、５００円硬貨の２０枚巻き棒金収納凹部４１（ｂ）が設けられた棒金収納庫１２（Ｃ）を現金管理装置本体１１から引き出した状態で、５００円硬貨の２０枚巻き棒金収納凹部４１（ｂ）へ５００円硬貨の５０枚巻き棒金Ｂ（ａ）を誤収納すると、この棒金収納庫１２（Ｃ）の現金管理装置本体１１への押し込み時に、５００円硬貨の５０枚巻き棒金Ｂ（ａ）が直ぐ上にある収納庫１２の前板部３１に干渉して押し込みを阻害する。つまり、この棒金収納庫１２（Ｃ）が閉状態にはならない。
【００５６】
また、５００円硬貨の２０枚巻き棒金Ｂ（ｂ）を収納対象とする２０枚巻き棒金収納凹部４１（ｂ）へ、他金種の１円硬貨の５０枚巻き棒金Ｂ（ａ）、５円硬貨の５０枚巻き棒金Ｂ（ａ）、１０円硬貨の５０枚巻き棒金Ｂ（ａ）、５０円硬貨の５０枚巻き棒金Ｂ（ａ）および１００円硬貨の５０枚巻き棒金Ｂ（ａ）の、いずれを誤収納した場合も、同様に、基板部４０からの高さが、１円硬貨、５円硬貨、１０円硬貨、５０円硬貨および１００円硬貨のそれぞれの５０枚巻き棒金Ｂ（ａ）の方が、５００円硬貨の２０枚巻き棒金Ｂ（ｂ）を収納した場合よりも高くなる。これにより、５００円硬貨の２０枚巻き棒金収納凹部４１（ｂ）が設けられた棒金収納庫１２（Ｃ）を現金管理装置本体１１から引き出した状態で、５００円硬貨の２０枚巻き棒金収納凹部４１（ｂ）へ、１円硬貨、５円硬貨、１０円硬貨、５０円硬貨および１００円硬貨のいずれかの５０枚巻き棒金Ｂ（ａ）を誤収納すると、この棒金収納庫１２（Ｃ）の現金管理装置本体１１への押し込み時に、１円硬貨、５円硬貨、１０円硬貨、５０円硬貨および１００円硬貨のいずれかの５０枚巻き棒金Ｂ（ａ）が直ぐ上にある収納庫１２の前板部３１に干渉して押し込みを阻害する。つまり、この棒金収納庫１２（Ｃ）が閉状態にはならない。
【００５７】
２０枚巻き棒金収納凹部４１（ｂ）においても、５０枚巻き棒金収納凹部４１（ａ）と同様、１本収納領域４７において棒金Ｂ（ｂ）の収納状態を検出する棒金検出センサ６２が、すべての係合部６１に個別に設けられている。２０枚巻き棒金収納凹部４１（ｂ）に設けられた棒金検出センサ６２も、例えば、棒金Ｂ（ｂ）の下端に配置される硬貨との距離に応じて変化する信号を出力する磁気センサ等である。
【００５８】
図１２は、本発明の実施形態における現金管理装置の５０枚巻きの棒金の端数収納用の棒金トレイを示す斜視図である。図１３は、本発明の実施形態に係る現金管理装置の５０枚巻きの棒金の端数収納用の棒金トレイを示す平面図である。
図１２，図１３に示す５０枚巻きの棒金の端数収納用の棒金トレイ３８（Ｅａ）は、５０枚巻きの棒金の満杯収納用の棒金トレイ３８（Ｆａ）に対して、５０枚巻き棒金収納凹部４１（ａ）に満杯状態にない１本〜４本の棒金Ｂを立位状態に維持しうる複数、具体的には３カ所のピン７１が底部４４に立設されている点が相違している。図１２，図１３においては、無孔硬貨用の棒金トレイ３８（Ｅａ）を例示しているが、有孔硬貨用の棒金トレイ３８（Ｅａ）は、図７，図８に示す凸部Ｔを備えている点でのみ相違しているため、ここでの詳細説明を省略する。
【００５９】
３カ所のピン７１は、その１つが、２本収納領域５２の２カ所の１本収納領域４７と、３本収納領域５１の棒金配列方向の中央１カ所の１本収納領域４７とから等距離の位置に配置されている。つまり、このピン７１は、２本収納領域５２の２カ所の係合部６１と、３本収納領域５１の中央１カ所の係合部６１とから等距離の位置に配置されている。
【００６０】
３カ所のピン７１は、他の１つが、３本収納領域５１の棒金配列方向の一側（左側）の端部の１本収納領域４７および中央の１本収納領域４７と、２本収納領域５２の同じ一側（左側）の１本収納領域４７とから等距離の位置に配置されている。つまり、このピン７１は、３本収納領域５１の棒金配列方向の一側（左側）の端部および中央の２カ所の係合部６１と、２本収納領域５２の棒金配列方向の同じ一側（左側）の１カ所の係合部６１とから等距離の位置に配置されている。
【００６１】
３カ所のピン７１は、さらに他の１つが、３本収納領域５１の棒金配列方向の他側（右側）の端部の１本収納領域４７および中央の１本収納領域４７と、２本収納領域５２の同じ他側（右側）の１本収納領域４７とから等距離の位置に配置されている。つまり、このピン７１は、３本収納領域５１の棒金配列方向の他側（右側）の端部および中央の２カ所の係合部６１と、２本収納領域５２の棒金配列方向の同じ他側（右側）の１カ所の係合部６１とから等距離の位置に配置されている。
【００６２】
この実施形態では、３カ所のピン７１は、上端部の高さ位置を、それぞれが形成される５０枚巻き棒金収納凹部４１（ａ）の開口端部よりも低くしている。これにより、棒金トレイ３８（Ｅａ）の重量増およびコスト増を抑制している。なお、この３カ所のピン７１の上端部の高さ位置を、それぞれが形成される５０枚巻き棒金収納凹部４１（ａ）の開口端部にほぼ合わせても良い。このように構成すれば、５０枚巻き棒金収納凹部４１（ａ）内に収納された、満杯状態にない１本〜４本の棒金Ｂをより安定的に立位状態に維持することができる。
【００６３】
棒金収納庫１２（Ｃ）に設けられるすべての５０枚巻きの棒金の端数収納用の棒金トレイ３８（Ｅａ）においても、それぞれの１カ所の５０枚巻き棒金収納凹部４１（ａ）において、引き出しの方向の奥側に２本収納領域５２が、手前側に３本収納領域５１が配置されており、それぞれの２カ所の５０枚巻き棒金収納凹部４１（ａ）において、２本収納領域５２と３本収納領域５１との並び順を互いに合わせて並列に配列されている。
【００６４】
さらに、棒金収納庫１２（Ｃ）に設けられるすべての５０枚巻きの棒金の端数収納用の棒金トレイ３８（Ｅａ）においても、３本収納領域５１および２本収納領域５２は、前後方向つまり収納庫１２の引き出し方向に直交する方向に延在している。言い換えれば、棒金収納庫１２（Ｃ）に設けられるすべての棒金トレイ３８（Ｅａ）において、３本収納領域５１および２本収納領域５２は、それぞれの棒金配列方向を、前後方向つまり収納庫１２の引き出し方向に直交させている。
【００６５】
図１４は、本発明の実施形態における現金管理装置の２０枚巻きの棒金の端数収納用の棒金トレイを示す斜視図である。
図１４に示すように、２０枚巻きの棒金Ｂ（ｂ）の端数収納用の棒金トレイ３８（Ｅｂ）は、５０枚巻きの棒金Ｂ（ａ）の端数収納用の棒金トレイ３８（Ｅａ）に対して、２０枚巻きの棒金Ｂ（ｂ）を収納する２０枚巻き棒金収納凹部４１（ｂ）を有する点が相違している。端数収納用の棒金トレイ３８（Ｅｂ）においても、２０枚巻き棒金収納凹部４１（ｂ）は、５０枚巻き棒金収納凹部４１（ａ）に対して、壁部４３の高さ方向の長さが短く、基板部４０から底部４４の係合部６１の上面６５までの高さ方向の距離が短くなっている点が相違している。
【００６６】
図３に示すように、最下段の一つの棒金収納庫１２（Ｃ）には、５０枚巻きの棒金Ｂ（ａ）の端数収納用の棒金トレイ３８（Ｅａ）と、２０枚巻きの棒金Ｂ（ｂ）の端数収納用の棒金トレイ３８（Ｅｂ）とが最前列に設けられている。ここで、２０枚巻きの棒金Ｂ（ｂ）の端数収納用の棒金トレイ３８（Ｅｂ）においても、２０枚巻き棒金収納凹部４１（ｂ）の底部４４の係合部６１の上面６５の高さは、収納対象の２０枚巻き棒金Ｂ（ｂ）が収納されると、この２０枚巻き棒金収納凹部４１（ｂ）が設けられた棒金収納庫１２（Ｃ）の押し込み時に、この２０枚巻き棒金収納凹部４１（ｂ）に収納された収納対象の２０枚巻き棒金Ｂ（ｂ）を直ぐ上にある収納庫１２に干渉させず、他方で、同金種であるか異金種であるかにかかわらず、いずれの金種であっても、５０枚巻きの棒金Ｂ（ａ）が収納されると、この２０枚巻き棒金収納凹部４１（ｂ）が設けられた棒金収納庫１２（Ｃ）の押し込み時に、この２０枚巻き棒金収納凹部４１（ｂ）に収納された５０枚巻きの棒金Ｂ（ａ）を直ぐ上にある収納庫１２に干渉させる高さとなっている。
【００６７】
棒金収納庫１２（Ｃ）に設けられる棒金トレイ３８（Ｅｂ）も、それぞれの１カ所の２０枚巻き棒金収納凹部４１（ｂ）において、引き出しの方向の奥側に２本収納領域５２が、手前側に３本収納領域５１が配置されており、それぞれの２カ所の２０枚巻き棒金収納凹部４１（ｂ）において、２本収納領域５２と３本収納領域５１との並び順を互いに合わせて並列に配列されている。
【００６８】
さらに、棒金収納庫１２（Ｃ）に設けられる棒金トレイ３８（Ｅｂ）においても、３本収納領域５１および２本収納領域５２は、前後方向つまり収納庫１２の引き出し方向に直交する方向に延在している。言い換えれば、棒金収納庫１２（Ｃ）に設けられる棒金トレイ３８（Ｅｂ）において、３本収納領域５１および２本収納領域５２は、それぞれの棒金配列方向を、前後方向つまり収納庫１２の引き出し方向に直交させている。
【００６９】
各棒金トレイ３８には、それぞれの基板部４０の上面に、収納対象の金種を目視可能に明示する金種明示部７２が設けられている（図４，図５，図１２，図１３は５０枚巻きの５００円棒金の例、図７は５０枚巻きの５円棒金の例、図９は２０枚巻きの５００円棒金の例）。各棒金トレイ３８に収納すべき設定金種を示す収納金種データは、予め設定されて記憶部２６に記憶されることになる。
【００７０】
図１５は、本発明の実施形態における棒金検出方法のフローチャートである。
図１５に示すように、まず制御部２５には、棒金検出センサ６２からセンサ信号が入力される（ステップＳ０１）。
制御部２５は、センサ信号に基づいて複数の棒金検出センサ６２と、各棒金検出センサ６２の上方に配置される棒金Ｂとの距離を検出する（ステップＳ０２）。次いで、制御部２５は、検出した距離がそれぞれ棒金Ｂを検出可能な距離の上限値である第一距離以下か否かを判定する（ステップＳ０３）。すなわち、棒金検出センサ６２の検出範囲内に棒金Ｂが存在するか否かを判定する。この判定の結果、第一距離以下ではないと判定された場合は、棒金Ｂが１本収納領域４７に収納されていない状態であるので、ステップＳ０１に戻り上述した一連の処理を繰り返す。
【００７１】
一方で、棒金検出センサ６２と、その上方に配置される棒金Ｂとの距離が所定距離以下であると判定された場合、制御部２５は、棒金検出センサ６２と、その上方に配置される棒金Ｂとの距離が予め設定された第二距離以下か否かを判定する（ステップＳ０４）。ここで、第二距離は、第一距離よりも短い距離である。この判定の結果、第二距離以下と判定された場合、制御部２５は、その１本収納領域４７に収納されている棒金Ｂの下端の硬貨と棒金検出センサ６２との距離が近接距離にあると判定する（ステップＳ０５）。一方で、棒金検出センサ６２と、その上方に配置される棒金Ｂとの距離が第二距離以下ではないと判定された場合、制御部２５は、その１本収納領域４７に収納されている棒金Ｂの下端の硬貨と棒金検出センサ６２との距離が中間距離にあると判定する（ステップＳ０６）。
【００７２】
図１６は、本発明の実施形態における、載置対象金種よりも小径な棒金が収納された状態の棒金トレイを示す図６に相当する断面図である。図１７は、本発明の実施形態における、有孔硬貨の棒金用に無孔硬貨の棒金が収納された状態の棒金トレイを示す図８に相当する断面図である。
上述した「近接距離」とは、載置対象金種の棒金Ｂが１本収納領域４７に正しい姿勢、すなわち図６，図８，図１０に示すように棒金Ｂが収容されているときの距離を含む距離である。
ここで、制御部２５は、近接距離であると判定された場合、正しい姿勢で棒金Ｂが収容されている旨の情報を、操作表示部１５や音声発生部２０等を介してユーザに報知するようにしても良い。
【００７３】
一方で、「中間距離」とは、棒金Ｂの下端の硬貨と棒金検出センサ６２との距離が、例えば、正しい姿勢で収容されていない収納不良の状態における距離を含む距離である。ここで、中間距離にあると判定した場合、棒金Ｂが収納不良の状態にあるため、制御部２５は、警報信号等を外部に出力して、例えば、操作表示部１５や音声発生部２０によって表示や音声等によりユーザに報知する。
【００７４】
例えば、図１６に示すように、載置対象金種よりも小径な棒金Ｂが１本収納領域４７に収納された場合には、この棒金Ｂの下端の硬貨と係合部６１の上面６５とは、加締部Ｋの高さの分だけ離間された収納不良の状態となる。同様に、載置対象金種が有孔硬貨である棒金トレイ３８（Ｆａ）の１本収納領域４７に、載置対象金種の外径と近い外径を有する無孔硬貨の棒金Ｂが収納された場合、図１７に示すように、この棒金Ｂの下端の硬貨と係合部６１の上面６５とは、凸部Ｔの高さの分だけ離間された収納不良の状態となる。つまり、これら収納不良の状態における棒金Ｂの下端の硬貨と棒金検出センサ６２との距離が全て中間距離と判定される。また、図示は省略するが、載置対象金種の棒金Ｂよりも大径な棒金Ｂを係合部６１へ載置しようとした場合には、上述したように、この大径異金種の棒金Ｂが係合部６１へ正しい姿勢で載置されることを湾曲壁面４２ａ、平坦壁面４２ｂ，４２ｃが阻害するため、収納不良の状態となり、棒金Ｂの下端の硬貨と棒金検出センサ６２との距離が中間距離と判定される。
【００７５】
現金管理装置本体１１には、収納庫１２が現金管理装置本体１１に最も押し込まれた後端位置である全閉位置にあることを検出する図２に示す全閉検出センサ９６が収納庫１２のそれぞれに対して設けられている。現金管理装置本体１１には、収納庫１２が現金管理装置本体１１から引き出された開状態にあることを検出する開検出センサ９７が収納庫１２のそれぞれに対して設けられている。
【００７６】
加えて、現金管理装置本体１１には、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されたことが開検出センサ９７で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が現金管理装置本体１１から引き出されたことが開検出センサ９７で検出された後、この一の収納庫１２が全閉位置に戻されたことが全閉検出センサ９６で検出されると、この一の収納庫１２に収納された棒金Ｂの金種別の数を全ての棒金検出センサ６２の検出結果から把握する。
【００７７】
つまり、例えば棒金Ｂの入出金取引の際は、操作キーボード１９から入出金取引する棒金Ｂの金額と本数が入力されると、制御部２５は、対応金種の棒金Ｂを収納する棒金収納庫１２（Ｃ）のロック機構２２に開指令信号を出力してロックを解除して開状態とする。この状態で、操作者が、ロックが解除された棒金収納庫１２（Ｃ）を引き出し開いて棒金Ｂを入出し、その後、棒金収納庫１２（Ｃ）を現金管理装置本体１１に押し込んで全閉位置に戻す。これを全閉検出センサ９６が検出すると、制御部２５は、入出された棒金Ｂの金種と本数を、棒金検出センサ６２の出力情報から判定し、入出された棒金Ｂの金種と本数が、操作キーボード１９から入力された入出する棒金Ｂの金額と本数と一致するか否かを判定する。つまり、制御部２５は、操作キーボード１９で入力された情報にしたがって適正に棒金Ｂの入出が行われたか否かを精査する。そして、制御部２５は、棒金検出センサ６２の出力情報から判定した棒金Ｂの入出された金種と本数が、操作キーボード１９から入力された入出するべき棒金Ｂの金額と本数と一致すれば、適正に入出が行われたと判定して、入出金取引を終了する。他方、棒金検出センサ６２の出力情報から判定した棒金Ｂの入出された金種と本数が、操作キーボード１９から入力された入出するべき棒金Ｂの金額と本数と一致しなければ、適正に入出が行われていないと判定して、表示部１７と音声発生部２０とでその旨を報知し、適正に入出が行われていないと判定した棒金収納庫１２（Ｃ）のロック機構２２のロックを解除する。
【００７８】
ここで、棒金Ｂの入出金取引において、棒金収納庫１２（Ｃ）を開いて棒金Ｂが入出された段階であって、棒金収納庫１２（Ｃ）を開いた状態でも、入出された棒金Ｂの本数と所定の金種であるか否かの判定が可能である。しかしながら、棒金Ｂが入出された後に棒金収納庫１２（Ｃ）を上記のように現金管理装置本体１１内に押し込んだ閉鎖位置では、棒金Ｂは人手で触られる心配も無く閉鎖位置という安定した状態で判定が行われるため、より好ましい。棒金収納庫１２（Ｃ）を開いた状態で、入出されるべきではない棒金Ｂが入出されると、その時点で、表示部１７と音声発生部２０とでその旨を報知することも可能である。
【００７９】
以上の実施形態によれば、２０枚巻き棒金収納凹部４１（ｂ）の底部４４の係合部６１の上面６５の高さが、５０枚巻きの棒金Ｂ（ａ）が収納されると、この２０枚巻き棒金収納凹部４１（ｂ）が設けられた棒金収納庫１２（Ｃ）の現金管理装置本体１１への押し込み時に、この２０枚巻き棒金収納凹部４１（ｂ）に収納された５０枚巻きの棒金Ｂ（ａ）を直ぐ上にある収納庫１２に干渉させる高さとなっているため、２０枚巻き棒金収納凹部４１（ｂ）へ５０枚巻きの棒金Ｂ（ａ）が誤収納された場合に、棒金収納庫１２（Ｃ）の現金管理装置本体１１への押し込みが困難となる。したがって、枚数違いの棒金Ｂ（ａ）の誤収納を抑制可能となる。
【００８０】
しかも、２０枚巻き棒金収納凹部４１（ｂ）の底部４４の係合部６１の上面６５の高さは、複数金種のいずれの５０枚巻きの棒金Ｂ（ａ）が収納されても、この２０枚巻き棒金収納凹部４１（ｂ）が設けられた棒金収納庫１２（Ｃ）の現金管理装置本体１１への押し込み時に、この２０枚巻き棒金収納凹部４１（ｂ）に収納された５０枚巻きの棒金Ｂ（ａ）を直ぐ上にある収納庫１２に干渉させる高さとなっているため、２０枚巻き棒金収納凹部４１（ｂ）へ、複数金種のいずれの５０枚巻きの棒金Ｂ（ａ）が誤収納された場合でも、棒金収納庫１２（Ｃ）の現金管理装置本体１１への押し込みが困難となる。したがって、枚数違いの棒金の誤収納を抑制可能となる。
【００８１】
また、係合部６１が、載置対象金種よりも小径の小径異金種の棒金Ｂの加締部Ｋの内側に挿入不能な大きさに形成されていることで、小径異金種の棒金Ｂが載置されると、係合部６１と棒金Ｂの下端の硬貨との距離が大きくなる。棒金検出センサ６２は、棒金Ｂの下端の硬貨との距離に応じて出力値が変化するため、小径異金種の棒金Ｂが載置されたことを棒金検出センサ６２の出力値の変化によって制御部２５により判定することができる。さらに、凹部６４が、棒金トレイ３８の底面６６から係合部６１の内部に至るように凹んで設けられているため、係合部６１の内部に棒金検出センサ６２を容易に収容することができる。さらに、メンテナンス時などに、棒金検出センサ６２に対して容易にアクセス可能となる。その結果、棒金検出センサ６２の着脱等に係る手間を低減できるとともに、光センサ等を用いる場合と比較してコストを低減することができる。
【００８２】
さらに、側壁部である湾曲壁面４２ａ、平坦壁面４２ｂ，４２ｃが載置対象金種の棒金Ｂを支持するため、例えば、載置対象金種の棒金Ｂよりも大径な大径異金種の棒金Ｂを係合部６１へ載置しようとした場合には、この大径異金種の棒金Ｂが係合部６１へ正しい姿勢で載置されることを湾曲壁面４２ａ、平坦壁面４２ｂ，４２ｃが阻害する。その結果、この姿勢の乱れを棒金検出センサ６２によって検出して、大径異金種の棒金Ｂを検出することができる。
【００８３】
さらに、加締部Ｋを収容可能な加締収容部５３を備えていることで、載置対象金種の棒金Ｂを棒金トレイ３８に収容する際に、加締部Ｋが加締収容部５３に収容されて載置対象金種の棒金Ｂを立位で載置することができる。
【００８４】
さらに、加締収容部５３が、加締部Ｋの高さよりも深く形成されていることで、載置対象金種の棒金Ｂを棒金トレイ３８に収容する際に、加締部Ｋの全てが加締収容部５３に収容されて載置対象金種の棒金Ｂをより安定的に立位で載置することができる。
【００８５】
さらに、載置対象金種の棒金Ｂが有孔硬貨である場合、棒金トレイ３８が有孔硬貨の孔に挿入される凸部Ｔを備えていることで、有孔硬貨ではない金種の棒金Ｂが載置された場合に、有孔硬貨ではない金種の棒金Ｂの下面すなわち下端の硬貨が載置座部の凸部Ｔと接するため、棒金Ｂが正しい姿勢で載置されない。その結果、異金種の棒金Ｂであることを棒金検出センサ６２により確実に検出することができる。
【００８６】
さらに、凸部Ｔが、加締部Ｋの高さ以上の高さを有していることで、有孔硬貨ではない金種の棒金Ｂの下面を、係合部６１から確実に離間させることができる。そのため、異金種の棒金Ｂであることを棒金検出センサ６２により確実に検出することができる。
【００８７】
さらに、棒金収納凹部４１が２本収納領域５２と３本収納領域５１とを備えることで、係員が、両手で５本の棒金を纏めて掴んで出し入れする作業を行うことで、棒金を５本出し入れすることができる。したがって、１０本程度の棒金を一度に出し入れする場合と比較して、作業効率の低下を抑制しつつ棒金の出し入れ作業を容易化可能となる。
【００８８】
さらに、２カ所の棒金収納凹部４１が、２本収納領域５２と３本収納領域５１との並び順を互いに合わせて並列に配列されていることで、２カ所の棒金収納凹部４１に対して、それぞれ５本の棒金を纏めて掴んで出し入れする際の棒金群の形状を合わせることができる。よって、棒金の出し入れ作業がさらに容易化可能となる。
【００８９】
さらに、棒金Ｂを立位状態に維持しうるピン７１が立設されていることで、棒金収納凹部４１内に収納された、満杯状態にない１本から４本の棒金Ｂを少ない数のピン７１で立位状態に維持することができる。
【００９０】
本発明は、上述した実施形態に限定されるものではなく、本発明の趣旨を逸脱しない範囲において、上述した実施形態に種々の変更を加えたものを含む。すなわち、実施形態で挙げた具体的な形状や構成等は一例にすぎず、適宜変更が可能である。
【００９１】
上述した実施形態においては、棒金検出センサ６２が、係合部６１の中央に配置される場合について説明した。しかし、棒金検出センサ６２の配置は、この配置に限られない。
棒金検出センサ６２の配置は、凹部の内部であればよく、例えば、係合部６１の中央位置からその径方向にずれた位置に配置するようにしても良い。
【００９２】
上述した実施形態においては、凹部６４の内部に小凹部６８が形成される場合を一例に説明したが、この小凹部６８は必要に応じて設ければ良く、例えば省略するようにしても良い。
【００９３】
さらに、実施形態においては、収納不良の状態として図１６，図１７の場合を例示した。しかし、収納不良の状態は、上述した図１６，図１７の状態に限られない。例えば、載置対象金種の棒金Ｂと係合部６１との間に異物が挟まるような状態なども挙げることができる。この実施形態における第二距離は、加締部の高さや凸部Ｔの高さよりも僅かに小さい距離に設定されている。
【００９４】
さらに、上述した実施形態においては、棒金検出センサ６２と、その上方に配置される棒金Ｂとの距離が第一距離以下を判定することで中間距離を判定可能な場合について説明した。しかし、この構成に限られず、第二距離以下か否かの判定すなわち近接距離の判定のみを行い、第一距離以下か否かの判定を省略するようにしても良い。
【００９５】
さらに、上述した実施形態においては、２０枚巻きの棒金Ｂ（ｂ）が５００円硬貨の一金種のみに設けられ、２０枚巻き棒金収納凹部４１（ｂ）が一金種分のみ設けられる場合を例にとり説明した。しかしながら、２０枚巻きの棒金Ｂ（ｂ）が複数金種（例えば、１００円、５００円の２金種）分設けられる場合にも適用可能である。その場合、複数金種分の２０枚巻き棒金収納凹部４１（ｂ）のそれぞれの底部４４の係合部６１の高さは、同金種であるか異金種であるかにかかわらず、いずれの金種であっても、５０枚巻きの棒金Ｂ（ａ）が収納されると、この２０枚巻き棒金収納凹部４１（ｂ）が設けられた棒金収納庫１２（Ｃ）の押し込み時に、この２０枚巻き棒金収納凹部４１（ｂ）に収納された５０枚巻きの棒金Ｂ（ａ）を直ぐ上にある収納庫１２に干渉させる高さに設定される。言い換えれば、複数金種分の２０枚巻き棒金収納凹部４１（ｂ）は、収納対象の２０枚巻きの棒金Ｂ（ｂ）よりも長さの長い複数の全ての金種（１円、５円、１０円、５０円、１００円、５００円）の５０枚巻きの棒金Ｂ（ａ）のいずれが収納されても、この５０枚巻きの棒金Ｂ（ａ）を、直ぐ上にある収納庫１２の前板部３１に干渉させることになり、これにより、この５０枚巻きの棒金Ｂ（ａ）が、これが収納された棒金収納庫１２（Ｃ）の現金管理装置本体１１への押し込みを阻害する。つまり、この棒金収納庫１２（Ｃ）が閉状態にならない。この場合、２０枚巻きの棒金Ｂ（ｂ）を有する複数金種は、取り扱う全金種であっても良く、取り扱う全金種の中のいずれか複数の金種であっても良い。これにより、複数金種のいずれの２０枚巻き棒金収納凹部４１（ｂ）へ、複数金種のいずれの５０枚巻きの棒金Ｂ（ａ）が誤収納された場合でも、棒金収納庫１２（Ｃ）の現金管理装置本体１１への押し込みが困難となる。したがって、枚数違いの棒金の誤収納を抑制可能となる。
【００９６】
さらに、上述した実施形態においては、同じ段の棒金収納庫１２（Ｃ）に設けられるすべての棒金トレイ３８は、水平に広がる基板部４０の高さを揃えて枠体３４に取り付けられていることを前提として、２０枚巻き棒金収納凹部４１（ｂ）は、５０枚巻き棒金収納凹部４１（ａ）に対して、壁部４３の高さ方向の長さが短く、基板部４０から底部４４までの高さ方向の距離が短くなっている点が相違している構成で説明した。しかし、この構成に限られず、当該相違点が無い構成として、基板部４０から底部４４までの高さ方向の距離が短い分を、別の構成での相違点によって置き換えても良い。即ち、２０枚巻き棒金収納凹部４１（ｂ）が配設される基板部４０が、その高さ方向の距離が短い分逆に、５０枚巻き棒金収納凹部４１（ａ）が配設される基板部４０よりも高い位置となるように枠体３４に取り付けられていても良い事になる。
【符号の説明】
【００９７】
１０  現金管理装置
１１  現金管理装置本体
１２  収納庫
１２（Ｃ）  棒金収納庫
４１  棒金収納凹部
４１（ａ）  ５０枚巻き棒金収納凹部
４１（ｂ）  ２０枚巻き棒金収納凹部
４４  底部
【図１】
2017107380.tif 000003
【図２】
2017107380.tif 000004
【図３】
2017107380.tif 000005
【図４】
2017107380.tif 000006
【図５】
2017107380.tif 000007
【図６】
2017107380.tif 000008
【図７】
2017107380.tif 000009
【図８】
2017107380.tif 000010
【図９】
2017107380.tif 000011
【図１０】
2017107380.tif 000012
【図１１】
2017107380.tif 000013
【図１２】
2017107380.tif 000014
【図１３】
2017107380.tif 000015
【図１４】
2017107380.tif 000016
【図１５】
2017107380.tif 000017
【図１６】
2017107380.tif 000018
【図１７】
2017107380.tif 000019